(57)【要約】  ある実施形態は、空間分割多元接続（ＳＤＭＡ）送信をサポートする局とのワイヤレス通信中でパケット送信をスケジューリングするための方法を提供する。方法は、一般的に、複数のワイヤレスネットワークノードからチャネル状態トレーニング信号を受信すること（４４０）と、チャネル状態トレーニング信号に基づいて、ノードに対するアップリンクパケット送信およびダウンリンクパケット送信のためのスケジュールを構築すること（４５０）と、ノードにスケジュールを通信すること（４９０）とを含む。【選択図】    図４
2012500605.tif 000002
【特許請求の範囲】
【請求項１】
ワイヤレス通信中でパケット送信をスケジューリングするための方法において、
複数のワイヤレスネットワークノードからチャネル状態トレーニング信号を受信することと、
前記チャネル状態トレーニング信号に基づいて、前記ノードに対するアップリンクパケット送信およびダウンリンクパケット送信のためのスケジュールを構築することと、
前記ノードに前記スケジュールを通信することとを含む方法。
【請求項２】
要求メッセージを送ることと、
前記要求メッセージに応答した、前記チャネル状態トレーニング信号を受信することとをさらに含む請求項１記載の方法。
【請求項３】
前記チャネル状態トレーニング信号は複数のノードから同時に受信される請求項１記載の方法。
【請求項４】
前記スケジュールは、複数の局が空間分割多元接続（ＳＤＭＡ）スキームによりアクセスポイントと同時に通信することを示す請求項１記載の方法。
【請求項５】
前記スケジュールは、ビーム形成送信技術による少なくとも１つのノードへの送信を示す請求項４記載の方法。
【請求項６】
前記スケジュールは、巡回遅延ダイバーシティ、複数入力複数出力（ＭＩＭＯ）、または時空間ブロックコード（ＳＴＢＣ）のうちの少なくとも１つを含む送信スキームによる少なくとも１つのノードへの送信を示す請求項４記載の方法。
【請求項７】
前記スケジュールは、ノードをグループに分割し、
前記スケジュールは、グループの複数のノードが空間分割多元接続（ＳＤＭＡ）スキームにより同時に通信することを示す請求項４記載の方法。
【請求項８】
前記アップリンク送信のためのスケジュールは、１つ以上のダウンリンクデータパケット中で示される請求項４記載の方法。
【請求項９】
ワイヤレス通信中でパケット送信をスケジューリングするための方法において、
複数のワイヤレスネットワークノードにメッセージを送り、前記メッセージは、前記ノードへのワイヤレス送信と前記ノードからのワイヤレス送信とのためのスケジュールを含むことと、
前記メッセージに応答した、前記複数のワイヤレスネットワークノードからのチャネル状態トレーニング信号を受信することとを含む方法。
【請求項１０】
前記スケジュールは、前記ノードがアップリンクデータに対して使用できるストリームの数の割り振りを含む請求項９記載の方法。
【請求項１１】
前記スケジュールは、空間分割多元接続（ＳＤＭＡ）スキームによる複数のノードとの同時通信を示す請求項９記載の方法。
【請求項１２】
前記スケジュールは、少なくとも１つのノードがビーム形成によって送信することを示す請求項９記載の方法。
【請求項１３】
前記スケジュールは、少なくとも１つのノードが全方向性の送信によって送信することを示す請求項９記載の方法。
【請求項１４】
ワイヤレス通信中でパケット送信を交換するための方法において、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信することと、
前記メッセージに応答して、チャネル状態トレーニング信号を送ることと、
前記スケジュールにしたがって、前記ネットワークとパケットを交換することとを含む方法。
【請求項１５】
前記スケジューリング情報は、前記ノードがアップリンクデータに対して使用できるストリームの数の割り振りを含む請求項１４記載の方法。
【請求項１６】
前記スケジュールは、複数のノードが空間分割多元接続（ＳＤＭＡ）スキームにより同時に通信することを示す請求項１４記載の方法。
【請求項１７】
前記スケジュールは、少なくとも１つのノードがビーム形成により送信することを示す請求項１６記載の方法。
【請求項１８】
ワイヤレス通信中でパケット送信をスケジューリングするための装置において、
複数のワイヤレスネットワークノードからチャネル状態トレーニング信号を受信する論理と、
前記チャネル状態トレーニング信号に基づいて、前記ノードに対するアップリンクパケット送信およびダウンリンクパケット送信のためのスケジュールを構築する論理と、
前記ノードに前記スケジュールを通信する論理とを具備する装置。
【請求項１９】
要求メッセージを送る論理をさらに具備し、
前記要求メッセージに応答して、前記チャネル状態トレーニング信号が送られる請求項１８記載の装置。
【請求項２０】
前記チャネル状態トレーニング信号は複数のノードから同時に受信される請求項１８記載の装置。
【請求項２１】
前記スケジュールは、複数の局が空間分割多元接続（ＳＤＭＡ）スキームによりアクセスポイントと同時に通信することを示す請求項１８記載の装置。
【請求項２２】
前記スケジュールは、ビーム形成送信技術による少なくとも１つのノードへの送信を示す請求項２１記載の装置。
【請求項２３】
前記スケジュールは、巡回遅延ダイバーシティ、複数入力複数出力（ＭＩＭＯ）、または時空間ブロックコード（ＳＴＢＣ）のうちの少なくとも１つを含む送信スキームによる少なくとも１つのノードへの送信を示す請求項２１記載の装置。
【請求項２４】
前記スケジュールは、ノードをグループに分割し、
前記スケジュールは、グループの複数のノードが空間分割多元接続（ＳＤＭＡ）スキームにより同時に通信することを示す請求項２１記載の装置。
【請求項２５】
前記アップリンク送信のためのスケジュールは、１つ以上のダウンリンクデータパケット中で示される請求項２１記載の装置。
【請求項２６】
ワイヤレス通信中でパケット送信をスケジューリングするための装置において、
複数のワイヤレスネットワークノードにメッセージを送り、前記メッセージは、前記ノードへのワイヤレス送信と前記ノードからのワイヤレス送信とのためのスケジュールを含む論理と、
前記メッセージに応答した、前記複数のワイヤレスネットワークノードからのチャネル状態トレーニング信号を受信する論理とを具備する装置。
【請求項２７】
前記スケジュールは、前記ノードがアップリンクデータに対して使用できるストリームの数の割り振りを含む請求項２６記載の装置。
【請求項２８】
前記スケジュールは、空間分割多元接続（ＳＤＭＡ）スキームによる複数のノードとの同時通信を示す請求項２６記載の装置。
【請求項２９】
前記スケジュールは、少なくとも１つのノードがビーム形成によって送信することを示す請求項２６記載の装置。
【請求項３０】
前記スケジュールは、少なくとも１つのノードが全方向性の送信によって送信することを示す請求項２６記載の装置。
【請求項３１】
ワイヤレス通信中でパケット送信を交換するための装置において、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信する論理と、
前記メッセージに応答して、チャネル状態トレーニング信号を送る論理と、
前記スケジュールにしたがって、前記ネットワークとパケットを交換する論理とを具備する装置。
【請求項３２】
前記スケジューリング情報は、前記ノードがアップリンクデータに対して使用できるストリームの数の割り振りを含む請求項３１記載の装置。
【請求項３３】
前記スケジュールは、複数のノードが空間分割多元接続（ＳＤＭＡ）スキームにより同時に通信することを示す請求項３１記載の装置。
【請求項３４】
前記スケジュールは、少なくとも１つのノードがビーム形成により送信することを示す請求項３３記載の装置。
【請求項３５】
ワイヤレス通信中でパケット送信をスケジューリングするための装置において、
複数のワイヤレスネットワークノードからチャネル状態トレーニング信号を受信する手段と、
前記チャネル状態トレーニング信号に基づいて、前記ノードに対するアップリンクパケット送信およびダウンリンクパケット送信のためのスケジュールを構築する手段とを具備する装置。
【請求項３６】
ワイヤレス通信中でパケット送信をスケジューリングするための装置において、
複数のワイヤレスネットワークノードにメッセージを送り、前記メッセージは、前記ノードへのワイヤレス送信と前記ノードからのワイヤレス送信とのためのスケジュールを含む手段と、
前記メッセージに応答した、前記複数のワイヤレスネットワークノードからのチャネル状態トレーニング信号を受信する手段とを具備する装置。
【請求項３７】
ワイヤレス通信中でパケット送信を交換するための装置において、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信する手段と、
前記メッセージに応答して、チャネル状態トレーニング信号を送る手段と、
前記スケジュールにしたがって、前記ネットワークとパケットを交換する手段とを具備する装置。
【請求項３８】
その上に命令を記憶させているコンピュータ読取可能媒体を具備する、ワイヤレス通信中でパケット送信をスケジューリングするためのコンピュータプログラムプロダクトにおいて、
前記命令は、１つ以上のプロセッサにより実行可能であり、
前記命令は、
複数のワイヤレスネットワークノードからチャネル状態トレーニング信号を受信するための命令と、
前記チャネル状態トレーニング信号に基づいて、前記ノードに対するアップリンクパケット送信およびダウンリンクパケット送信のためのスケジュールを構築するための命令とを含むコンピュータプログラムプロダクト。
【請求項３９】
その上に命令を記憶させているコンピュータ読取可能媒体を具備する、ワイヤレス通信中でパケット送信をスケジューリングするためのコンピュータプログラムプロダクトにおいて、
前記命令は、１つ以上のプロセッサにより実行可能であり、
前記命令は、
メッセージが、前記ノードへのワイヤレス送信と前記ノードからのワイヤレス送信とのためのスケジュールを含み、複数のワイヤレスネットワークノードに前記メッセージを送るための命令と、
前記メッセージに応答した、前記複数のワイヤレスネットワークノードからのチャネル状態トレーニング信号を受信するための命令とを含むコンピュータプログラムプロダクト。
【請求項４０】
その上に命令を記憶させているコンピュータ読取可能媒体を具備する、ワイヤレス通信中でパケット送信を交換するためのコンピュータプログラムプロダクトにおいて、
前記命令は、１つ以上のプロセッサにより実行可能であり、
前記命令は、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信するための命令と、
前記メッセージに応答して、チャネル状態トレーニング信号を送るための命令と、
前記スケジュールにしたがって、前記ネットワークとパケットを交換するための命令とを含むコンピュータプログラムプロダクト。
【発明の詳細な説明】
【関連出願に対する相互参照】
【０００１】
本出願は、２００８年８月２０日に出願された米国仮特許出願シリアル番号第６１／０９０，５２０号の利益を主張し、この出願は、参照によりここにそのすべてが組み込まれている。
【背景】
【０００２】
ワイヤレス通信システムに対して要望される帯域幅要求の増加の問題を取り扱うために、同じチャネル（例えば、同じ時間および周波数のリソース）を共有することにより、複数のユーザ端末が単一の基地局と通信することを可能にする一方で、高データスループットを達成するように、異なるスキームが開発されている。空間分割多元接続（ＳＤＭＡ）は、次世代の通信システム向けの人気のある技術として近年登場してきたこのような１つのアプローチを表している。
【０００３】
ＳＤＭＡシステムでは、基地局は、同じ周波数を使用して、同時に、複数の移動体ユーザ端末に異なる信号を送信してもよく、または、複数の移動体ユーザ端末から異なる信号を受信してもよい。信頼できるデータ通信を達成するために、ユーザ端末は、十分に異なる方向に配置されている必要がある。基地局において、空間的に分離されている複数のアンテナのうちのそれぞれから、個別の信号を同時に送信してもよい。その結果、合成された送信は指向性を持ち、すなわち、それぞれのユーザ端末に専用の信号は、その特定のユーザ端末の方向においては比較的強く、他のユーザ端末の方向においては非常に弱いことがある。同様に、基地局は、空間的に分離されているアンテナのそれぞれを通して、複数のユーザ端末からの合成された信号を同じ周波数上で同時に受信することができ、複数のアンテナから受信した合成信号は、適切な信号処理技術を適用することにより、それぞれのユーザ端末から送信された個別の信号へと分けることができる。
【０００４】
複数入力複数出力（ＭＩＭＯ）ワイヤレスシステムは、データ送信のために、複数（ＮT個）の送信アンテナと、複数（ＮR個）の受信アンテナとを用いる。ＮT個の送信アンテナとＮR個の受信アンテナとにより形成されているＭＩＭＯチャネルは、ＮS個の空間チャネルに分解することができ、ここで、ＮS≦ｍｉｎ｛ＮT，ＮR｝である。より大きい全体的なスループットを達成するために、ＮS個の空間チャネルを使用して、ＮS個の個別のデータストリームを送信することができる。
【０００５】
ＳＤＭＡに基づく多元接続ＭＩＭＯシステムにおいて、アクセスポイントは、何らかの所定の瞬間において、１つ以上のユーザ端末と通信することがある。アクセスポイントが単一のユーザ端末と通信する場合に、ＮT個の送信アンテナは、１つの送信エンティティ（例えば、アクセスポイントまたはユーザ端末のいずれか）に関係付けられ、ＮR個の受信アンテナは、１つの受信エンティティ（例えば、ユーザ端末またはアクセスポイントのいずれか）に関係付けられる。アクセスポイントはまた、ＳＤＭＡにより、複数のユーザ端末と同時に通信することができる。ＳＤＭＡに対して、アクセスポイントは、データ送信およびデータ受信のために複数のアンテナを利用し、ユーザ端末のそれぞれは、典型的に、データ送信のために１つのアンテナを利用し、データ受信のために複数のアンテナを利用する。
【概要】
【０００６】
ある実施形態は、ワイヤレス通信中でパケット送信をスケジューリングするための方法を提供する。方法は、一般的に、複数のワイヤレスネットワークノードからチャネル状態トレーニング信号を受信することと、チャネル状態トレーニング信号に基づいて、ノードに対するアップリンクパケット送信およびダウンリンクパケット送信のためのスケジュールを構築することとを含む。
【０００７】
ある実施形態は、ワイヤレス通信中でパケット送信をスケジューリングするための方法を提供する。方法は、一般的に、複数のワイヤレスネットワークノードにメッセージを送り、メッセージは、ノードへのワイヤレス送信とノードからのワイヤレス送信とのためのスケジュールを含むことと、メッセージに応答した、複数のワイヤレスネットワークノードからのチャネル状態トレーニング信号を受信することとを含む。
【０００８】
ある実施形態は、ワイヤレス通信中でパケット送信をスケジューリングするための方法を提供する。方法は、一般的に、チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信することと、メッセージに応答して、チャネル状態トレーニング信号を送ることと、スケジュールにしたがって、ネットワークとパケットを交換することとを含む。
【０００９】
ある実施形態は、ワイヤレス通信中でパケット送信をスケジューリングするための装置を提供する。装置は、一般的に、複数のワイヤレスネットワークノードからチャネル状態トレーニング信号を受信する論理と、チャネル状態トレーニング信号に基づいて、ノードに対するアップリンクパケット送信およびダウンリンクパケット送信のためのスケジュールを構築する論理とを備える。
【００１０】
ある実施形態は、ワイヤレス通信中でパケット送信をスケジューリングするための装置を提供する。装置は、一般的に、複数のワイヤレスネットワークノードにメッセージを送り、メッセージは、ノードへのワイヤレス送信とノードからのワイヤレス送信とのためのスケジュールを含む論理と、メッセージに応答した、複数のワイヤレスネットワークノードからのチャネル状態トレーニング信号を受信する論理とを備える。
【００１１】
ある実施形態は、ワイヤレス通信中でパケット送信をスケジューリングするための装置を提供する。装置は、一般的に、チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信する論理と、メッセージに応答して、チャネル状態トレーニング信号を送る論理と、スケジュールにしたがって、ネットワークとパケットを交換する論理とを備える。
【００１２】
ある実施形態は、ワイヤレス通信中でパケット送信をスケジューリングするための装置を提供する。装置は、一般的に、複数のワイヤレスネットワークノードからチャネル状態トレーニング信号を受信する手段と、チャネル状態トレーニング信号に基づいて、ノードに対するアップリンクパケット送信およびダウンリンクパケット送信のためのスケジュールを構築する手段とを備える。
【００１３】
ある実施形態は、ワイヤレス通信中でパケット送信をスケジューリングするための装置を提供する。装置は、一般的に、複数のワイヤレスネットワークノードにメッセージを送り、メッセージは、ノードへのワイヤレス送信とノードからのワイヤレス送信とのためのスケジュールを含む手段と、メッセージに応答した、複数のワイヤレスネットワークノードからのチャネル状態トレーニング信号を受信する手段とを備える。
【００１４】
ある実施形態は、ワイヤレス通信中でパケット送信をスケジューリングするための装置を提供する。装置は、一般的に、チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信する手段と、メッセージに応答して、チャネル状態トレーニング信号を送る手段と、スケジュールにしたがって、ネットワークとパケットを交換する手段とを備える。
【００１５】
ある実施形態は、その上に命令を記憶させているコンピュータ読取可能媒体を具備する、ワイヤレス通信中でパケット送信をスケジューリングするためのコンピュータプログラムプロダクトを提供し、命令は、１つ以上のプロセッサにより実行可能である。命令は、一般的に、複数のワイヤレスネットワークノードからチャネル状態トレーニング信号を受信するための命令と、チャネル状態トレーニング信号に基づいて、ノードに対するアップリンクパケット送信およびダウンリンクパケット送信のためのスケジュールを構築するための命令とを含む。
【００１６】
ある実施形態は、その上に命令を記憶させているコンピュータ読取可能媒体を具備する、ワイヤレス通信中でパケット送信をスケジューリングするためのコンピュータプログラムプロダクトを提供し、命令は、１つ以上のプロセッサにより実行可能である。命令は、一般的に、メッセージが、ノードへのワイヤレス送信とノードからのワイヤレス送信とのためのスケジュールを含み、複数のワイヤレスネットワークノードにメッセージを送るための命令と、メッセージに応答した、複数のワイヤレスネットワークノードからのチャネル状態トレーニング信号を受信するための命令とを含む。
【００１７】
ある実施形態は、その上に命令を記憶させているコンピュータ読取可能媒体を具備する、ワイヤレス通信中でパケット送信をスケジューリングするためのコンピュータプログラムプロダクトを提供し、命令は、１つ以上のプロセッサにより実行可能である。命令は、一般的に、チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信するための命令と、メッセージに応答して、チャネル状態トレーニング信号を送るための命令と、スケジュールにしたがって、ネットワークとパケットを交換するための命令とを含む。
【図面の簡単な説明】
【００１８】
本開示の上記に記載した特徴を詳細に理解できる方法で、上記では簡単にまとめられているさらに特定の説明を、実施形態に対する参照により得ることができるように、実施形態のうちのいくつかを、添付した図面中で示している。しかしながら、添付した図面は、この開示のある典型的な実施形態のみを示しており、それゆえ、その範囲を限定するものとして考えられるものではないことに留意すべきである。説明は、他の等しく有効な実施形態に適応できる余地があるためである。
【図１】図１は、本開示のある実施形態にしたがった、空間分割多元接続ＭＩＭＯワイヤレスシステムを示している。
【図２】図２は、本開示のある実施形態にしたがった、アクセスポイントおよび２つのユーザ端末のブロックダイヤグラムを示している。
【図３】図３は、本開示のある実施形態にしたがった、ワイヤレスデバイスの例示的なコンポーネントを示している。
【図４】図４は、ＳＤＭＡシステム中で送信をスケジューリングするための例示的な動作を示している。
【図４Ａ】図４Ａは、図４で示している動作を実行することが可能な例示的なコンポーネントを示している。
【図５】図５は、ＳＤＭＡシステム中で送信をスケジューリングするための例示的なメッセージフローを示す例示的なタイミングダイヤグラムである。
【図６】図６は、ＳＤＭＡシステム中で送信をスケジューリングするための例示的なメッセージフローを示す例示的なタイミングダイヤグラムである。
【図７】図７は、ＳＤＭＡシステム中で送信をスケジューリングするための例示的なメッセージフローを示す例示的なタイミングダイヤグラムである。
【図８】図８は、ＳＤＭＡシステム中で送信をスケジューリングするための例示的な動作を示している。
【図８Ａ】図８Ａは、図８で示している動作を実行することが可能な例示的なコンポーネントを示している。
【図９】図９は、ＳＤＭＡシステム中で送信をスケジューリングするための例示的なメッセージフローを示す例示的なタイミングダイヤグラムである。
【図１０】図１０は、本開示の１つの実施形態にしたがった、ＳＤＭＡシステム中で送信をスケジューリングするための例示的なメッセージフローを示す例示的なタイミングダイヤグラムである。
【図１１】図１１は、本開示の１つの実施形態にしたがった、トレーニング要求メッセージの例示的なフォーマットを示している。
【図１２】図１２は、本開示の１つの実施形態にしたがった、スケジューリング情報を含む電力セーブマルチポール（ＰＳＭＰ）メッセージの例示的なフォーマットを示している。
【詳細な説明】
【００１９】
単語“例示的な”は、ここでは、“例、事例、または例示としての役割を果たす”ことを意味するように使用する。“例示的な”としてここで説明する何らかの実施形態は、必ずしも、他の実施形態より好ましい、または、他の実施形態より利点があるものとして解釈される必要はない。
【００２０】
ここで説明するマルチアンテナ送信技術は、コード分割多元接続（ＣＤＭＡ）や、直交周波数分割多重化（ＯＦＤＭ）や、時分割多元接続（ＴＤＭＡ）等のような、さまざまなワイヤレス技術と組み合わせて使用することができる。複数のユーザ端末は、（１）ＣＤＭＡに対する異なる直交コードチャネル、（２）ＴＤＭＡに対する異なるタイムスロット、または、（３）ＯＦＤＭに対する異なる副帯域により、並行してデータを送信／受信することができる。ＣＤＭＡシステムは、ＩＳ−２０００、ＩＳ−９５、ＩＳ−８５６、ワイドバンドＣＤＭＡ（Ｗ−ＣＤＭＡ）、または他の何らかの標準規格を実現することができる。ＯＦＤＭシステムは、ＩＥＥＥ８０２．１１または他の何らかの標準規格を実現することができる。ＴＤＭＡシステムは、ＧＳＭ（登録商標）または他の何らかの標準規格を実現することができる。これらのさまざまな標準規格は、技術的に知られている。
【００２１】
図１は、アクセスポイントとユーザ端末とを持つ多元接続ＭＩＭＯシステム１００を示している。簡略化するために、図１では、１つのアクセスポイント１１０のみを示している。アクセスポイントは、一般的に、ユーザ端末と通信する固定局であり、基地局または他の何らかの専門用語として呼ぶこともある。ユーザ端末は、固定または移動性のものであってもよく、移動局、ワイヤレスデバイス、または他の何らかの専門用語として呼ぶこともある。アクセスポイント１１０は、ダウンリンク上およびアップリンク上で、何らかの所定の瞬間において、１つ以上のユーザ端末１２０と通信することがある。ダウンリンク（すなわち、フォワードリンク）は、アクセスポイントからユーザ端末への通信リンクであり、アップリンク（すなわち、リバースリンク）は、ユーザ端末からアクセスポイントへの通信リンクである。ユーザ端末はまた、別のユーザ端末とピア・ツー・ピアで通信してもよい。システム制御装置１３０は、アクセスポイントに結合しており、アクセスポイントに対する調整および制御を提供する。
【００２２】
ＡＰ１１０およびユーザ端末１２０は、ワイヤレスローカルエリアネットワーク（ＷＬＡＮ）の一部分であってもよい。ある実施形態に対して、ノードは、直交周波数分割多元接続（ＯＦＤＭＡ）技術を使用するＳＤＭＡスキームにより通信してもよい。
【００２３】
以下の開示の一部は、ＳＤＭＡにより通信することが可能なユーザ端末１２０を説明しているが、ある実施形態に対しては、ユーザ端末１２０は、ＳＤＭＡをサポートしていない何らかのユーザ端末も含んでいてもよい。したがって、このような実施形態に対しては、ＳＤＭＡユーザ端末および非ＳＤＭＡユーザ端末の双方と通信するようにＡＰ１１０が構成されていてもよい。都合のよいことに、このアプローチにより、古いバージョンのユーザ端末（“レガシー”局）を企業で採用し続けることが可能になり、それらの有効寿命が伸びる一方で、適切であると思われるときには、新しいＳＤＭＡユーザ端末を導入することが可能になる。
【００２４】
システム１００は、ダウンリンク上およびアップリンク上でのデータ送信のために、複数の送信アンテナと複数の受信アンテナとを用いている。アクセスポイント１１０には、Ｎap個のアンテナが装備されており、ダウンリンク送信に対する複数入力（ＭＩ）と、アップリンク送信に対する複数出力（ＭＯ）とを表している。１組のＮu個の選択されたユーザ端末１２０は、ダウンリンク送信に対する複数出力と、アップリンク送信に対する複数入力とを一括して表している。純粋なＳＤＭＡに対しては、Ｎu個のユーザ端末に対するデータシンボルストリームが、何らかの手段によって、コードで、周波数で、または時間で多重化されていない場合には、Ｎap≧Ｎu≧１とすることが望ましい。ＣＤＭＡにより異なるコードチャネルを使用して、ＯＦＤＭにより互いに素な集合の副帯域を使用して等、データシンボルストリームを多重化することができる場合には、Ｎuは、Ｎapより大きくてもよい。それぞれの選択されたユーザ端末は、アクセスポイントへとユーザ特有のデータを送信し、および／または、アクセスポイントからユーザ特有のデータを受信する。一般に、それぞれの選択されたユーザ端末には、１つまたは複数のアンテナ（すなわち、Ｎut≧１）が装備されていてもよい。Ｎu個の選択されたユーザ端末は、同じ数または異なる数のアンテナを有することがある。
【００２５】
ＳＤＭＡシステム１００は、時分割デュプレクス（ＴＤＤ）システムまたは周波数分割デュプレクス（ＦＤＤ）システムであってもよい。ＴＤＤシステムに対して、ダウンリンクおよびアップリンクは、同じ周波数帯域を共有する。ＦＤＤシステムに対して、ダウンリンクおよびアップリンクは、異なる周波数帯域を使用する。ＭＩＭＯシステム１００はまた、送信のために、単一の搬送波または複数の搬送波を利用してもよい。それぞれのユーザ端末には、（例えば、コストを増やさないために）単一のアンテナが装備されていてもよく、（付加的なコストをサポートできる場合には）複数のアンテナが装備されていてもよい。
【００２６】
図２は、ＭＩＭＯシステム１００中の、アクセスポイント１１０と２つのユーザ端末１２０ｍおよび１２０ｘとのブロックダイヤグラムを示している。アクセスポイント１１０には、Ｎap個のアンテナ２２４ａないし２２４ａｐが装備されている。ユーザ端末１２０ｍには、Ｎut,m個のアンテナ２５２ｍａないし２５２ｍｕが装備されており、ユーザ端末１２０ｘには、Ｎut,x個のアンテナ２５２ｘａないし２５２ｘｕが装備されている。アクセスポイント１１０は、ダウンリンクに対しては送信エンティティであり、アップリンクに対しては受信エンティティである。それぞれのユーザ端末１２０は、アップリンクに対しては送信エンティティであり、ダウンリンクに対しては受信エンティティである。ここで使用するように、“送信エンティティ”は、ワイヤレスチャネルを介してデータを送信することが可能な独立して動作する装置またはデバイスであり、“受信エンティティ”は、ワイヤレスチャネルを介してデータを受信することが可能な独立して動作する装置またはデバイスである。以下の説明では、下付き文字“ｄｎ”はダウンリンクを示し、下付き文字“ｕｐ”はアップリンクを示し、Ｎup個のユーザ端末が、アップリンク上での同時送信に対して選択され、Ｎdn個のユーザ端末が、ダウンリンク上での同時送信に対して選択され、Ｎupは、Ｎdnと等しくてもよく、または、等しくなくてもよく、ＮupおよびＮdnは、静的な値であってもよく、または、それぞれのスケジューリング間隔の間に変化してもよい。アクセスポイントおよびユーザ端末において、ビームステアリングまたは他の何らかの空間処理技術を使用してもよい。
【００２７】
アップリンク上では、アップリンク送信に対して選択されているそれぞれのユーザ端末１２０において、ＴＸデータプロセッサ２８８が、データソース２８６からトラフィックデータを受け取り、制御装置２８０からのデータを制御する。ＴＸデータプロセッサ２８８は、ユーザ端末に対して選択されているレートに関係するコーディングおよび変調スキームに基づいて、ユーザ端末に対するトラフィックデータ｛ｄup,m｝を処理し（例えば、エンコードし、インターリーブし、および変調し）、データシンボルストリーム｛ｓup,m｝を提供する。ＴＸ空間プロセッサ２９０は、データシンボルストリーム｛ｓup,m｝上で空間処理を実行し、Ｎut,m個のアンテナに対してＮut,m個の送信シンボルストリームを提供する。それぞれの送信機ユニット（ＴＭＴＲ）２５４は、それぞれの送信シンボルストリームを受け取って処理し（例えば、アナログへとコンバートし、増幅し、フィルタリングし、および周波数アップコンバートし）、アップリンク信号を発生させる。Ｎut,m個の送信機ユニット２５４は、Ｎut,m個のアンテナ２５２からアクセスポイントへの送信に対して、Ｎut,m個のアップリンク信号を提供する。
【００２８】
アップリンク上での同時送信に対して、Ｎup個のユーザ端末をスケジューリングすることができる。これらのユーザ端末のそれぞれは、そのデータシンボルストリーム上で空間処理を実行し、その組の送信シンボルストリームをアップリンク上でアクセスポイントに送信する。
【００２９】
アクセスポイント１１０において、Ｎap個のアンテナ２２４ａないし２２４ａｐが、アップリンク上で送信するすべてのＮup個のユーザ端末からのアップリンク信号を受信する。それぞれのアンテナ２２４は、それぞれの受信機ユニット（ＲＣＶＲ）２２２に対して、受信した信号を提供する。それぞれの受信機ユニット２２２は、送信機ユニット２５４により実行される処理と相補的な処理を実行し、受信したシンボルストリームを提供する。ＲＸ空間プロセッサ２４０は、Ｎap個の受信機ユニット２２２からのＮap個の受信したシンボルストリーム上で、受信機空間処理を実行し、Ｎup個の復元したアップリンクデータシンボルストリームを提供する。受信機空間処理は、チャネル相関マトリックス逆変換（ＣＣＭＩ）、最小平均二乗誤差（ＭＭＳＥ）、ソフト干渉消去（ＳＩＣ）、または他の何らかの技術にしたがって、実行することができる。それぞれの復元したアップリンクデータシンボルストリーム｛ｓup,m｝は、それぞれのユーザ端末により送信されたデータシンボルストリーム｛ｓup,m｝の推定である。ＲＸデータプロセッサ２４２は、そのストリームに対して使用されるレートにしたがって、復元したそれぞれのアップリンクデータシンボルストリーム｛ｓup,m｝を処理して（例えば、復調して、デインターリーブして、およびデコードして）、デコードしたデータを取得する。それぞれのユーザ端末に対するデコードしたデータを、記憶のためにデータシンク２４４に提供してもよく、および／または、さらなる処理のために制御装置２３０に提供してもよい。
【００３０】
ダウンリンク上では、アクセスポイント１１０において、ＴＸデータプロセッサ２１０が、ダウンリンク送信に対してスケジューリングされているＮdn個のユーザ端末に対するトラフィックデータをデータソース２０８から受け取り、制御装置２３０から制御データを受け取り、おそらく、スケジューラ２３４から他のデータを受け取る。さまざまなタイプのデータを、異なる伝送チャネル上で送ってもよい。ＴＸデータプロセッサ２１０は、そのユーザ端末に対して選択されているレートに基づいて、それぞれのユーザ端末に対するトラフィックデータを処理する（例えば、エンコードする、インターリーブする、および変調する）。ＴＸデータプロセッサ２１０は、Ｎdn個のユーザ端末に対するＮdn個のダウンリンクデータシンボルストリームを提供する。ＴＸ空間プロセッサ２２０は、Ｎdn個のダウンリンクデータシンボルストリーム上で空間処理を実行し、Ｎap個のアンテナにＮap個の送信シンボルストリームを提供する。それぞれの送信機ユニット２２２は、それぞれの送信シンボルストリームを受け取って処理し、ダウンリンク信号を発生させる。Ｎap個の送信機ユニット２２２は、Ｎap個のアンテナ２２４からユーザ端末への送信に対して、Ｎap個のダウンリンク信号を提供する。
【００３１】
それぞれのユーザ端末１２０において、Ｎut,m個のアンテナ２５２は、アクセスポイント１１０からＮap個のダウンリンク信号を受信する。それぞれの受信機ユニット２５４は、関係付けられているアンテナ２５２から受信した信号を処理し、受信したシンボルストリームを提供する。ＲＸ空間プロセッサ２６０は、Ｎut,m個の受信機ユニット２５４からのＮut,m個の受信したシンボルストリーム上で、受信機空間処理を実行し、ユーザ端末に対する復元したダウンリンクデータシンボルストリーム｛ｓdn,m｝を提供する。受信機空間処理は、ＣＣＭＩ、ＭＭＳＥ、または他の何らかの技術にしたがって実行される。ＲＸデータプロセッサ２７０は、復元したダウンリンクデータシンボルストリームを処理して（例えば、復調して、デインターリーブして、およびデコードして）、ユーザ端末に対するデコードしたデータを取得する。
【００３２】
それぞれのユーザ端末１２０において、チャネル推定器２７８が、ダウンリンクチャネル応答を推定して、ダウンリンクチャネル推定を提供する。ダウンリンクチャネル推定は、チャネル利得推定、ＳＮＲ推定等を含んでいてもよい。同様に、チャネル推定器２２８は、アップリンクチャネル応答を推定して、アップリンクチャネル推定を提供する。それぞれのユーザ端末に対する制御装置２８０は、典型的に、そのユーザ端末に対するダウンリンクチャネル応答マトリックスＨdn,mに基づいて、ユーザ端末に対する空間フィルタマトリックスを導出する。制御装置２３０は、有効なアップリンクチャネル応答マトリックスＨup,effに基づいて、アクセスポイントに対する空間フィルタマトリックスを導出する。それぞれのユーザ端末に対する制御装置２８０は、アクセスポイントにフィードバック情報（例えば、ダウンリンクおよび／またはアップリンクのステアリングベクトル、ＳＮＲ推定等）を送ってもよい。制御装置２３０および２８０はまた、アクセスポイント１１０とユーザ端末１２０とにおいて、それぞれ、さまざまな処理ユニットの動作を制御する。
【００３３】
図３は、システム１００内で用いてもよいワイヤレスデバイス３０２中で利用することができるさまざまなコンポーネントを示している。ワイヤレスデバイス３０２は、ここで説明するさまざまな方法を実現するように構成されているデバイスの例である。ワイヤレスデバイス３０２は、アクセスポイント１１０またはユーザ端末１２０であってもよい。ここで使用するように、用語ワイヤレスデバイスおよびワイヤレスノードは、互換性があるように使用してもよく、アクセスポイント（ＡＰ）または局（ＳＴＡ）のいずれかのことを指していてもよい。
【００３４】
ワイヤレスデバイス３０２は、ワイヤレスデバイス３０２の動作を制御するプロセッサ３０４を備えていてもよい。プロセッサ３０４はまた、中央処理ユニット（ＣＰＵ）として呼ぶこともある。メモリ３０６は、リードオンリーメモリ（ＲＯＭ）とランダムアクセスメモリ（ＲＡＭ）との双方を含んでいてもよく、プロセッサ３０４に命令およびデータを提供する。メモリ３０６の一部は、不揮発性のランダムアクセスメモリ（ＮＶＲＡＭ）も含んでいてもよい。プロセッサ３０４は、典型的に、メモリ３０６内に記憶されているプログラム命令に基づいた論理的動作および算術動作を実行する。メモリ３０６中の命令は、ここで説明する方法を実現するために実行可能であってもよい。
【００３５】
ワイヤレスデバイス３０２はまた、ワイヤレスデバイス３０２と遠隔ロケーションとの間でのデータの送受信を可能にする送信機３１０および受信機３１２を備えていてもよいハウジング３０８を備えていてもよい。送信機３１０および受信機３１２は、組み合わせて、トランシーバ３１４にしてもよい。複数の送信アンテナ３１６は、ハウジング３０８に取り付けられていてもよく、電気的にトランシーバ３１４に結合されていてもよい。ワイヤレスデバイス３０２は、（示していない）複数の送信機と、複数の受信機と、複数のトランシーバとを備えていてもよい。
【００３６】
ワイヤレスデバイス３０２はまた、トランシーバ３１４により受信した信号のレベルを検出して、定量化するために使用することができる信号検出器３１８を備えていてもよい。信号検出器３１８は、このような信号を、総エネルギーや、シンボル当たりの副搬送波当たりのエネルギーや、電力スペクトル密度や、および他の信号として検出してもよい。ワイヤレスデバイス３０２は、信号を処理する際に使用するためのデジタル信号プロセッサ（ＤＳＰ）３２０を備えていてもよい。
【００３７】
ワイヤレスデバイス３０２のさまざまなコンポーネントは、バスシステム３２２により互いに結合されていてもよい。バスシステム３２２は、データバスに加えて、電力バス、制御信号バス、およびステータス信号バスを含んでいてもよい。
【００３８】
ここで使用する用語“レガシー”は、一般的に、８０２．１１ｎ、または、８０２．１１標準規格の以前のバージョンをサポートするワイヤレスネットワークノードのことを指す。
【００３９】
ＳＤＭＡを参照して、ある技術をここで説明するが、一般的に、ＳＤＭＡ、ＯＦＤＭＡ、ＣＤＭＡ、およびこれらの組み合わせのような、何らかのタイプの多元接続スキームを利用するシステムに、この技術を適用できることを当業者は認識するだろう。
【００４０】
ＳＤＭＡに対する拡張されたＰＳＭＰメカニズム
本開示のある実施形態は、ワイヤレスＬＡＮ中の複数のノードに対するアップリンク送信およびダウンリンク送信をスケジューリングするために、電力セーブマルチポール（ＰＳＭＰ）メッセージを利用する。１つの実施形態では、プロトコルにより、空間分割媒体接続（ＳＤＭＡ）可能な局が、ＰＳＭＰトランザクションに参加することが可能になる。ＰＳＭＰメッセージは、一般的に、（例えば、ＭＡＣヘッダにおいて）１組の局を識別するマルチキャストメッセージのことを指し、１組の局に対するダウンリンク送信時間（ＤＴＴ）およびアップリンク送信時間（ＵＴＴ）のような、スケジューリング情報を含んでいてもよい。ある側面にしたがうと、レガシー（非ＳＤＭＡ）局に対する（オーバーラップしていない）送信をスケジューリングするために使用されるＰＳＭＰメッセージの既存のフォーマットを、ＳＤＭＡ可能な局からの（オーバーラップしている）同時送信のスケジューリングが可能になるように拡張してもよい。ＳＤＭＡ送信をスケジューリングするためにＰＳＭＰメッセージを利用することは、有利であるかもしれない。その理由は、単一のマルチキャストメッセージによる複数の局に対する送信の効率的なスケジューリングが可能になり、それにより、エアリソースおよび電力を節約できるからである。
【００４１】
ある実施形態に対して、プロトコルは、一般的に、非常に高いスループット（ＶＨＴ）ＳＤＭＡ局のような局の部分集合に、トレーニング要求メッセージ（ＲＭ）を送ることと、これらの局からトレーニングパイロットを取り出すこととを含む。いったんトレーニングが受信されると、同時に送信するようにＳＤＭＡ可能な局をスケジューリングすることができる一方で、レガシー局がそれぞれ自己の専用送信期間（または、エポック）を有するように、ＰＳＭＰが構築される。下記で詳細に説明するが、図１２は、構築されて、ＰＳＭＰメッセージ中で（ＳＤＭＡ可能なおよびレガシー）局に送信されるスケジューリング情報のタイプを示している。ここで提示するプロトコルにより、ＳＤＭＡ可能な局を使用するという性能の利点が可能になる一方で、レガシーシステムに対する下位互換性が保たれる。
【００４２】
ある実施形態に対して、プロトコルは、トレーニング要求メッセージ（ＲＭ）を組み込むように機能し、ＳＤＭＡ局に対するスケジューリング情報も含むＶＨＴ特有のメッセージを必要としてもよい。ＶＨＴ特有のメッセージは、レガシー局が単にメッセージを無視するように設計されていてもよい。
【００４３】
例示的なレガシー互換性アプローチ
図４は、本開示のある実施形態にしたがった、ＳＤＭＡ送信をスケジューリングするための例示的な動作を示すフローダイヤグラムである。図４は、アクセスポイントにおいて実行される例示的な動作と、局において実行される対応する動作とを示している。図５〜７のタイミングダイヤグラムで示すように、ＳＤＭＡシステムでは、複数の局が、図４で示している動作を同時に実行してもよい。示されているように、ある実施形態にしたがうと、レガシーＰＳＭＰフォーマットを持つメッセージを使用して、スケジューリング情報を伝えることができる。
【００４４】
例示の目的のために、図５、６、および７で示す例示的なタイミングダイヤグラムに関連して、下記で図４の動作を説明する。アクセスポイント（ＡＰ）が要求メッセージ（ＲＭ）を送るときに、４１０において動作が開始する。４２０において、局（ＳＴＡ）によりＲＭが受信される。
【００４５】
４３０において、それぞれのＳＴＡが、ＡＰにチャネルトレーニング信号を送る。チャネル（またはチャネル状態）トレーニング信号は、例えば、図５で示すサウンディング信号５０４の形をとることがある。４４０において、ＡＰによりチャネルトレーニング信号が受信される。ある実施形態に対しては、要求メッセージによってチャネルトレーニング信号の送信を開始するというよりむしろ、他の何らかのメカニズムにしたがって、トレーニング信号の送信が送られてもよい。したがって、動作４１０および４２０はオプション的である。
【００４６】
４５０において、ＡＰは、受信したチャネルトレーニング信号に基づいて、ＳＴＡへの送信／ＳＴＡからの送信のためのスケジュールを構築する。例えば、ＡＰは、トレーニング信号に基づいて、どの局を、認可された上流リソースにすべきかを決定することができ、ある実施形態に対しては、いくつかの局は、認可されたリソースにならないかもしれない。例えば、ＡＰが、別の局との高い相関関係を示している場合に、ＡＰは、ある局を、認可されたＵＬリソースにすべきではないと考えるかもしれない。
【００４７】
４６０において、ＡＰがＳＴＡにスケジュールを通信する。４７０において、ＳＴＡによりスケジュールが受信される。４８０において、ＳＴＡが、スケジュールにしたがってＡＰと通信する。例えば、ＳＴＡは、スケジュール中で指定されているＤＴＴにおいて、ＡＰからＳＤＭＡデータを受信してもよく、スケジュール中で指定されているＵＴＴにおいて、ＡＰにＳＤＭＡデータを送ってもよい。
【００４８】
４９０において、ＡＰが、スケジュールにしたがってＳＴＡと通信する。例えば、ＡＰは、スケジュール中で指定されているＤＬＬおよびＵＴＴに基づいて、ＳＤＭＡデータを送ってもよく、ＳＤＭＡデータを受信してもよい。ＡＰはまた、チャネルトレーニング信号により命令される方法で通信してもよい。例えば、ＡＰは、空間ダイバーシティを最適化するために、トレーニング信号に基づいて、ＳＤＭＡ送信を制御してもよい。
【００４９】
図５は、ＡＰが、４つの局（ＳＴＡ１〜ＳＴＡ４）に対するＳＤＭＡ送信をスケジューリングする例示的な交換についてのタイミングダイヤグラムを示している。示されているように、ＡＰは、ＳＤＭＡ ＳＴＡｔｉｏｎ１〜３とレガシー局４とに対してトレーニング要求メッセージ（ＲＭ）５０２を送ることにより、ＳＤＭＡ ＰＳＭＰエポックを開始してもよい。ＲＭ５０２に応答して、それぞれのＳＤＭＡ ＳＴＡが、サウンディングフレーム５０４として示されているようなチャネルトレーニング信号を送る。ある実施形態に対しては、トレーニング信号は、チャネル品質情報ＣＱＩ ５０６を含んでいてもよい。
【００５０】
示されているように、ある実施形態に対しては、ＳＤＭＡ ＳＴＡからのサウンディングフレームと、ＡＰにより送られるＰＳＭＰフレームとを受信するために必要とされる時間の間、通信チャネルを保護するのに十分に長いＮＡＶ時間期間を、ＲＭ時間量フィールドがセットする。ＰＳＭＰメッセージの時間量フィールドは、後続する（ＤＬおよびＵＬの）データ送信のために必要とされる時間をカバーする。ＡＰは、ＳＤＭＡ ＳＴＡからサウンディングフレーム５０４を受信した後に、ＰＳＭＰフレーム５０８を送ってもよい。
【００５１】
ＰＳＭＰフレーム５０８は、ＳＤＭＡ ＳＴＡおよびレガシーＳＴＡに対する、ダウンリンク（ＤＬ）およびアップリンク（ＵＬ）の開始オフセットと時間量とのような、ＳＤＭＡ（および／またはレガシー）局のためのスケジューリング情報を含んでいてもよい。したがって、ＰＳＭＰフレームの後に、局へのＳＤＭＡ ＤＬデータ５１０と、レガシー局に送られるレガシーデータ５１２とが続いてもよい。後続して、ＳＤＭＡ局が、アップリンク（ＵＬ）ＳＤＭＡデータ５１４を送ってもよい一方で、レガシー局は、アップリンクデータ５１６を後続して送ってもよい。
【００５２】
（ＳＤＭＡ局およびレガシー局の双方に対する）これらのＤＬ送信およびＵＬ送信は、ＰＳＭＰフレーム５０８により指定されている時間において行われてもよい。ＳＤＭＡ ＳＴＡに対して、ストリームの数は、ＲＭメッセージ中で、それぞれのＳＤＭＡ ＳＴＡがトレーニングするように要請されたストリームの数により縛られる。
【００５３】
ここで提示する技術は、ＤＬ送信およびＵＬ送信の双方のためのＳＤＭＡ送信スケジューリングとＴＤＭ送信スケジューリングとを組み合わせることにより、スケジューリングを簡単にするかもしれない。所定の送信機会（ＴＸＯＰ）中にスケジューリングすることができるＳＴＡの数を増加させることによっても、効率を改善することができる。
【００５４】
図６は、本開示の１つの実施形態にしたがった、ＰＳＭＰフレーム５０８を使用するスケジューリング送信の第２の例のタイミングダイヤグラムである。別々のフレーム／タイムスロットでＤＬ ＳＤＭＡデータ５１０を送るように、ＡＰが、異なるＳＴＡをスケジューリングしてもよいことを図６は示している。単一のユーザ（例えば、ＳＴＡ１）に対するＳＤＭＡデータは、ビーム形成（ＢＦ）データ５１８と同じだと考えることができることに留意されたい。ある実施形態に対しては、スケジュールは、巡回遅延ダイバーシティや、複数入力複数出力（ＭＩＭＯ）や、または、時空間ブロック（ＳＴＢＣ）のような、他の何らかの送信スキームによる少なくとも１つのノードへの送信を示してもよい。
【００５５】
ＰＳＭＰスケジューリング情報はまた、（異なる局からのＴＤＭ ＵＬ ＢＡ５２２に対して異なる時間を指定する）ＵＬブロック肯定応答（ＢＡ）スケジュールを提供してもよい。しかしながら、サウンディングと同じ空間ストリームを使用して、ＳＤＭＡ ＵＬ ＢＡ５２０を同時に送ることもできる。ある実施形態に対して、それぞれのＳＴＡが、自己のＭＣＳを自由に選んでもよく、このことは、ＴＤＭ ＢＡに対して利益を提供する。ある実施形態に対して、スケジューリング情報はまた、少なくとも１つのノードが全方向性アンテナによって送信することを示してもよい。
【００５６】
図７は、本開示の１つの実施形態にしたがった、レガシーＰＳＭＰフレーム５０８を使用するスケジューリング送信の第３の例のタイミングダイヤグラムである。従来の８０２．１１フレーム（ＡＰＰＤＵ５２０）によってのように、ＳＤＭＡ以外の技術を使用して、ＡＰが何らかのＳＤＭＡ可能なＳＴＡ（例えば、ＳＴＡ４および５）と通信してもよいことを図７は示している。
【００５７】
ＳＤＭＡ可能な局に特有なアプローチ
図８は、本開示の１つの実施形態にしたがった、（サウンディングを要求する要求メッセージとしての役割を果たすことがある）拡張されたＰＳＭＰメッセージによる、ＳＤＭＡ可能な局をターゲットとする送信をスケジューリングするための例示的な動作を示している。例示の目的のために、図９で示す例示的なタイミングダイヤグラムに関連して、下記で動作８００を説明する。
【００５８】
８１０において動作が開始し、ここで、ＳＤＭＡ送信に対するスケジュールを含み、チャネルトレーニング信号を要求するメッセージをＡＰが送る。８２０において、ＳＴＡによりメッセージが受信される。８３０において、それぞれのＳＴＡが、ＡＰにチャネルトレーニング信号を送る。８４０において、ＡＰによりチャネルトレーニング信号が受信される。８５０において、ＳＴＡが、スケジュールにしたがってＡＰと通信する。
【００５９】
８６０において、ＡＰは、スケジュールと、受信したチャネルトレーニング信号とにしたがって、ＳＴＡと通信する。例えば、以前に説明したように、ＡＰは、スケジュール中で指定されているＤＬＬおよびＵＴＴに基づいて、ＳＤＭＡデータを送ってもよく、ＳＤＭＡデータを受信してもよく、空間ダイバーシティを最適化するために、トレーニング信号に基づいて、ＳＤＭＡ送信を制御してもよい。
【００６０】
例えば、図９で示されているように、ＡＰは、ポイントコーディネーション機能フレーム間空間（ＰＩＦＳ）または拡張された分散チャネルアクセス（ＥＤＣＡ）を使用して媒体を獲得してもよい。その後、ＡＰは、ＳＴＡ１〜３に、ＶＨＴ特有のＰＳＭＰフレーム９０２を送る。応答して、それぞれのＳＴＡが、サウンディングフレーム５０４として示されているようなチャネルトレーニング信号を送る。
【００６１】
１つの実施形態では、ＰＳＭＰ時間量フィールドは、ＰＳＭＰトランザクションが完了するまで、ネットワーク割り振りベクトル（ＮＡＶ）をセットすることにより、送信を保護する。ＡＰが、ＤＬ ＳＤＭＡデータ５１０を送る。ＤＬ送信はまた、ＭＣＳＦＢとＳＳ割り振り情報とを含んでいてもよい。それぞれのＳＴＡはまた、ＳＤＭＡアップリンクデータ９２０を送り、ＳＤＭＡアップリンクデータ９２０は、ＳＤＭＡ ＤＬデータのブロック肯定応答（ＢＡ）を含んでいてもよい。
【００６２】
したがって、ＳＤＭＡ特有のＰＳＭＰ９０２は、ＲＭとレガシーＰＳＭＰとの組み合わせとして機能することにより、リソースを節約する助けとなることができる。さらに、ＳＤＭＡ特有のＰＳＭＰ９０２は、ＵＬおよびＤＬの送信オフセットと時間量とを提供してもよく、それぞれのＳＴＡがＵＬデータに対して使用できるストリームの数を割り振る。
【００６３】
代替実施形態では、ＰＳＭＰメッセージに対する何らかの代替を使用してもよい。例えば、ある実施形態にしたがうと、ＡＰは、必要とされるＮＡＶ保護を取得するために、自身にクリア・ツー・センド（ＣＴＳ）メッセージを送ってもよい。
【００６４】
図１０で示されているように、ＣＴＳメッセージ１００８に続いて、ＡＰは、ＤＬ ＳＤＭＡデータ５１０を送ってもよい。ある実施形態にしたがうと、ＡＰは、ＳＴＡをグループに分けて、ＳＤＭＡを使用して、個々のグループに通信してもよい。グループのうちの１つが単一のノードから成る場合に、ＡＰは、ビーム形成も使用して、ビーム形成されたデータ５１８を（示している例では、ＳＴＡ４として示されているような）その１つのＳＴＡに通信してもよい。アップリンクデータ送信５１４のためのスケジュールは、例えば、送信されるパケットの増加したヘッダフィールドを通して、または、別のパケットそれ自体により、ダウンリンクデータ送信の一部として示してもよい。
【００６５】
図１１は、本開示のある実施形態に対する、タイミング調整情報を伝えるために、ＡＰが使用してもよいトレーニング要求メッセージ（ＴＲＭ）１１００の例示的なフォーマットを示している。ある実施形態にしたがうと、ＴＲＭ１１００は、フレーム制御（ＦＣ）フィールド１１０２を含んでいてもよい。ＦＣフィールド１１０２は、プロトコルバージョンと、フレームタイプと、サブタイプとのような、さまざまな情報を持つ何らかの数のビット（例えば、１６ビット）を含んでいてもよい。
【００６６】
ＴＲＭ１１００は、関連する送信がどのくらいの間使用されるかを示す時間量／ＩＤフィールド１１０４も含んでいてもよい。時間量／ＩＤフィールド１１０４は、例えば、１６ビットを含んでいてもよく、これは、後続する送信（例えば、付加的なトレーニングまたは肯定応答）をカバーするようにセットしてもよい。
【００６７】
ＴＲＭ１１００は、受信者または宛先アドレス（ＤＡ）１１０６、発信元アドレス（ＳＡ）１１０８も含んでいてもよく、これらは、例えば、双方とも４８ビットのアドレスであってもよい。情報を受信する１組の局に対するマルチキャスト／ブロードキャストアドレスに、ＤＡ１１０６をセットしてもよい。ＴＲＭを送るＡＰのアドレスに、ＳＡ１１０８をセットしてもよい。送信機会（ＴｘＯＰ）フィールド１１１０は、ＴＲＭ１１００の肯定応答に対して割り振られている時間の量を（例えば、１０ビットによって）示してもよい。ターゲット受信（Ｒｘ）電力フィールド１１１２は、（例えば、６ビットの数のような）基準受信電力の表示を提供してもよい。受信局は、（局において受信するような）ＴＲＭの実際の受信電力をターゲットＲｘ電力フィールドと比較して、ＡＰに対する局の近さの表示を取得してもよく、それにしたがって、その送信電力を調整してもよい。較正（ＣＡＬ）ポジションフィールド１１１４は、較正手順の発生／不発生を示すようにセットされている１つ以上のビットを有していてもよい。いくつかの実施形態にしたがうと、１組の予約されたビット１１１６（例えば、７ビット）を、将来の機能性に適応するために予約してもよい。（例えば、３２ビットの）ＣＲＣフィールド１１１８は、誤り訂正のために用意されていてもよい。
【００６８】
ＴＲＭ１１００はまた、局のグループに対する情報を含む局情報フィールド１１２０を含んでいてもよい。示されているように、いくつかの実施形態に対して、局情報フィールド１１２０が、多数の局に対する情報を含んでいてもよい。局の数が変化することがあるので、局情報フィールド１１２０のサイズは変化するかもしれない。それぞれの局に対して、局ｉｄ（ＳＴＡ ＩＤ）フィールド１１２２と、局に割り振られている空間ストリームの数（＃ＳＳ）を示すフィールド１１２４と、レンジングフィールド１１２６とがある。ＳＴＡ ＩＤフィールド１１２２は、局の識別子（例えば、１６ビットのＩＤ）を含んでいてもよい一方で、＃ＳＳフィールド１１２４は、識別した局に割り振られている（例えば、４ビットの数のような）空間ストリームの数を示してもよく、また一方で、レンジングフィールド１１２６は、異なる局からのＳＤＭＡ送信が、ほぼ同時にＡＰに届くように、送信タイミングを進めるまたは遅らせるための時間インクリメントの数（例えば、４ビット）を指定してもよい。
【００６９】
ある実施形態に対して、ＴＲＭメッセージは、必須のフィールドとして、示されているフィールドの部分集合のみを必要とするかもしれない。例えば、ある実施形態に対しては、ＦＣフィールド１１０２、時間量／ＩＤフィールド１１０４、ＤＡフィールド１１０６、ＳＡフィールド１１０８、ＳＴＡ ＩＮＦＯフィールド１１２０、およびＣＲＣ１１１８のみが必須であるかもしれない。さらに、ある実施形態に対しては、ＳＴＡ ＩＮＦＯフィールド１１２０中に複数の局に対するレンジング情報を含めるよりむしろ、効率は低くなるが、それぞれの局に対して別々のメッセージを送ってもよい。
【００７０】
図１２は、ある実施形態にしたがって、構築されて、ＰＳＭＰメッセージ１２００中で（レガシーおよびＶＨＴ）局に送信されてもよいスケジューリング情報のタイプを示している。示されているように、ＰＳＭＰメッセージ１２００は、ＰＳＭＰヘッダ１２０２を有していてもよい。ＰＳＭＰはまた、スケジューリング情報１２１０を含んでいてもよい。示されているように、スケジューリング情報１２１０は、多数の局に対して、局ＩＤ１２１２により識別されるものを含んでいてもよい。それぞれの局に対するスケジューリング情報は、ダウンリンク送信時間（ＤＴＴ）オフセット１２１４と、ＤＴＴ時間量１２１６と、アップリンク送信時間（ＵＴＴ）オフセット１２１８と、ＵＴＴ時間量１２２０とを含んでいてもよい。ＳＤＭＡ可能な局に対しては、スケジューリング情報により規定されている送信時間が、示している同時送信とオーバーラップしてもよい。ある側面にしたがうと、スケジューリング情報はまた、レガシー局に対するオーバーラップしない送信時間を含んでいてもよい。
【００７１】
図面中で示しているミーンズプラスファンクションブロックに対応する、さまざまなハードウェアならびに／あるいはソフトウェアのコンポーネントおよび／またはモジュールにおいて実現される論理により、上記で説明した方法のさまざまな動作を実行することができる。一般的に、図面で示されている方法があり、何らかの適切な手段が、対応し、相当するミーンズプラスファンクションの図面を有している場合に、動作ブロックは、類似するナンバリングを持つミーンズプラスファンクションブロックに対応する。例えば、図４および図８でそれぞれ示されている動作４００および動作８００は、図４Ａおよび図８Ａでそれぞれ示されている対応する手段４００Ａおよび手段８００Ａにより実行することができる。
【００７２】
ここで使用したように、用語“決定する”は、幅広いさまざまなアクションを含んでいる。例えば、“決定する”は、算出する、計算する、処理する、導出する、調べる、検索する（例えば、表、データベース、または別のデータ構造中において検索する）、確認する、およびこれらに類するものを含んでいてもよい。また、“決定する”は、受信する（例えば、情報を受信する）、アクセスする（例えば、メモリ中のデータにアクセスする）、およびこれらに類するものを含むことができる。また、“決定する”は、解決する、選択する、選ぶ、確立する、およびこれらに類するものを含んでいてもよい。
【００７３】
さまざまな異なる技術および技法の任意のものを使用して情報および信号を表してもよい。例えば、上記の説明全体を通して参照した、データ、命令、コマンド、情報、信号、およびこれらに類するものは、電圧、電流、電磁波、磁界または磁気の粒子、光学界または光の粒子、あるいはこれらの何らかの組み合わせにより、表してもよい。
【００７４】
本開示に関連して説明した、さまざまな例示的な論理的ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネント、あるいは、ここで説明した機能を実行するように設計されたこれらの何らかの組み合わせで、実現あるいは実行してもよい。汎用プロセッサはマイクロプロセッサであってもよいが、代替実施形態では、プロセッサは、商業的に入手可能な何らかのプロセッサ、制御装置、マイクロ制御装置、または状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、他の何らかのこのような構成として実現してもよい。
【００７５】
本開示に関連して説明した方法またはアルゴリズムのステップは、ハードウェアで、プロセッサにより実行されるソフトウェアモジュールで、あるいは、２つを組み合わせたもので、直接的に具現化してもよい。ソフトウェアモジュールは、技術的に知られている何らかの形態の記憶媒体中に存在していてもよい。使用されることがある記憶媒体のいくつかの例には、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等が含まれる。ソフトウェアモジュールは、単一の命令または多くの命令を含んでいてもよく、複数の異なるコードセグメントを通して、異なるプログラム間で、および複数の記憶媒体にわたって、分散されていてもよい。記憶媒体は、プロセッサが記憶媒体から情報を読み取り、記憶媒体に情報を書き込むことができるように、プロセッサに結合されている。代替実施形態では、記憶媒体はプロセッサに一体化していてもよい。
【００７６】
ここで開示した方法は、説明した方法を達成するための１つ以上のステップまたはアクションを含んでいる。方法のステップおよび／またはアクションは、特許請求の範囲から逸脱することなく、互いに交換可能であってもよい。言い換えると、ステップまたはアクションの特定の順序が指定されていない限り、特定のステップおよび／またはアクションの順序ならびに／あるいは使用は、特許請求の範囲から逸脱することなく、修正することができる。
【００７７】
説明した機能は、ハードウェアで、ソフトウェアで、ファームウェアで、または、これらのものを組み合わせた任意のもので実現してもよい。ソフトウェアで実現した場合、機能は、１つ以上の命令として、コンピュータ読取可能媒体上に記憶してもよい。記憶媒体は、コンピュータによりアクセスできる何らかの利用可能な媒体であってもよい。事例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含むことができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。
【００７８】
ソフトウェアまたは命令は、送信媒体を介しても送信してもよい。例えば、ソフトウェアが、同軸ケーブルや、光ファイバケーブルや、撚り対や、デジタル加入者回線（ＤＳＬ）や、あるいは、赤外線、無線、およびマイクロ波のようなワイヤレス技術を使用して、ウェブサイト、サーバ、または他の遠隔ソースから送信される場合には、同軸ケーブル、光ファイバケーブル、撚り対、ＤＳＬ、あるいは、赤外線、無線、およびマイクロ波のようなワイヤレス技術は、送信媒体の定義に含まれる。
【００７９】
さらに、ここで説明した方法および技術を実行するためのモジュールおよび／または他の適切な手段が、適用可能なものとして、ユーザ端末および／または基地局によりダウンロードできるか、ならびに／あるいは、そうでなければ、ユーザ端末および／または基地局により取得できることを正しく認識すべきである。例えば、ここで説明した方法を実行するための手段の伝送を促進するために、このようなデバイスをサーバに結合することができる。代替的に、記憶装置手段（例えば、ＲＡＭや、ＲＯＭや、コンパクトディスク（ＣＤ）またはフロッピーディスクのような物理的な記憶媒体等）を介して、ここで説明したさまざまな方法を提供することができる。これにより、記憶装置手段をデバイスに結合すると、または、記憶装置手段をデバイスに提供すると、ユーザ端末および／または基地局が、さまざまな方法を取得できる。さらに、ここで説明した方法および技術をデバイスに提供するための他の何らかの適切な技術を利用することができる。
【００８０】
特許請求の範囲は、上記で示したまさにその構成およびコンポーネントに限定されるものではないことが理解される。さまざまな修正、変更、およびバリエーションが、上記で説明した方法と装置との構成、動作、および詳細において、特許請求の範囲から逸脱することなく行われてもよい。
【図１】
2012500605.tif 000003
【図２】
2012500605.tif 000004
【図３】
2012500605.tif 000005
【図４】
2012500605.tif 000006
【図４Ａ】
2012500605.tif 000007
【図５】
2012500605.tif 000008
【図６】
2012500605.tif 000009
【図７】
2012500605.tif 000010
【図８】
2012500605.tif 000011
【図８Ａ】
2012500605.tif 000012
【図９】
2012500605.tif 000013
【図１０】
2012500605.tif 000014
【図１１】
2012500605.tif 000015
【図１２】
2012500605.tif 000016
【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
ワイヤレス通信中でパケット送信をスケジューリングするための方法において、
複数のワイヤレスネットワークノードからチャネル状態トレーニング信号を受信することと、
前記チャネル状態トレーニング信号に基づいて、前記ノードに対するアップリンクパケット送信およびダウンリンクパケット送信のためのスケジュールを構築することと、
前記ノードに前記スケジュールを通信することとを含む方法。
【請求項２】
要求メッセージを送ることと、
前記要求メッセージに応答した、前記チャネル状態トレーニング信号を受信することとをさらに含む請求項１記載の方法。
【請求項３】
前記チャネル状態トレーニング信号は複数のノードから同時に受信される請求項１記載の方法。
【請求項４】
前記スケジュールは、複数の局が空間分割多元接続（ＳＤＭＡ）スキームによりアクセスポイントと同時に通信することを示す請求項１記載の方法。
【請求項５】
前記スケジュールは、ビーム形成送信技術による少なくとも１つのノードへの送信を示す請求項４記載の方法。
【請求項６】
前記スケジュールは、巡回遅延ダイバーシティ、複数入力複数出力（ＭＩＭＯ）、または時空間ブロックコード（ＳＴＢＣ）のうちの少なくとも１つを含む送信スキームによる少なくとも１つのノードへの送信を示す請求項４記載の方法。
【請求項７】
前記スケジュールは、ノードをグループに分割し、
前記スケジュールは、グループの複数のノードが空間分割多元接続（ＳＤＭＡ）スキームにより同時に通信することを示す請求項４記載の方法。
【請求項８】
前記アップリンク送信のためのスケジュールは、１つ以上のダウンリンクデータパケット中で示される請求項４記載の方法。
【請求項９】
ワイヤレス通信中でパケット送信をスケジューリングするための方法において、
複数のワイヤレスネットワークノードにメッセージを送り、前記メッセージは、前記ノードへのワイヤレス送信と前記ノードからのワイヤレス送信とのためのスケジュールを含むことと、
前記メッセージに応答した、前記複数のワイヤレスネットワークノードからのチャネル状態トレーニング信号を受信することとを含む方法。
【請求項１０】
前記スケジュールは、前記ノードがアップリンクデータに対して使用できるストリームの数の割り振りを含む請求項９記載の方法。
【請求項１１】
前記スケジュールは、空間分割多元接続（ＳＤＭＡ）スキームによる複数のノードとの同時通信を示す請求項９記載の方法。
【請求項１２】
前記スケジュールは、少なくとも１つのノードがビーム形成によって送信することを示す請求項９記載の方法。
【請求項１３】
前記スケジュールは、少なくとも１つのノードが全方向性の送信によって送信することを示す請求項９記載の方法。
【請求項１４】
ワイヤレス通信中でパケット送信を交換するための方法において、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信することと、
前記メッセージに応答して、チャネル状態トレーニング信号を送ることと、
前記スケジュールにしたがって、前記ネットワークとパケットを交換することとを含む方法。
【請求項１５】
前記スケジュールは、前記ノードがアップリンクデータに対して使用できるストリームの数の割り振りを含む請求項１４記載の方法。
【請求項１６】
前記スケジュールは、複数のノードが空間分割多元接続（ＳＤＭＡ）スキームにより同時に通信することを示す請求項１４記載の方法。
【請求項１７】
前記スケジュールは、少なくとも１つのノードがビーム形成により送信することを示す請求項１６記載の方法。
【請求項１８】
ワイヤレス通信中でパケット送信をスケジューリングするための装置において、
複数のワイヤレスネットワークノードからチャネル状態トレーニング信号を受信する論理と、
前記チャネル状態トレーニング信号に基づいて、前記ノードに対するアップリンクパケット送信およびダウンリンクパケット送信のためのスケジュールを構築する論理と、
前記ノードに前記スケジュールを通信する論理とを具備する装置。
【請求項１９】
要求メッセージを送る論理をさらに具備し、
前記要求メッセージに応答して、前記チャネル状態トレーニング信号が送られる請求項１８記載の装置。
【請求項２０】
前記チャネル状態トレーニング信号は複数のノードから同時に受信される請求項１８記載の装置。
【請求項２１】
前記スケジュールは、複数の局が空間分割多元接続（ＳＤＭＡ）スキームによりアクセスポイントと同時に通信することを示す請求項１８記載の装置。
【請求項２２】
前記スケジュールは、ビーム形成送信技術による少なくとも１つのノードへの送信を示す請求項２１記載の装置。
【請求項２３】
前記スケジュールは、巡回遅延ダイバーシティ、複数入力複数出力（ＭＩＭＯ）、または時空間ブロックコード（ＳＴＢＣ）のうちの少なくとも１つを含む送信スキームによる少なくとも１つのノードへの送信を示す請求項２１記載の装置。
【請求項２４】
前記スケジュールは、ノードをグループに分割し、
前記スケジュールは、グループの複数のノードが空間分割多元接続（ＳＤＭＡ）スキームにより同時に通信することを示す請求項２１記載の装置。
【請求項２５】
前記アップリンク送信のためのスケジュールは、１つ以上のダウンリンクデータパケット中で示される請求項２１記載の装置。
【請求項２６】
ワイヤレス通信中でパケット送信をスケジューリングするための装置において、
複数のワイヤレスネットワークノードにメッセージを送り、前記メッセージは、前記ノードへのワイヤレス送信と前記ノードからのワイヤレス送信とのためのスケジュールを含む論理と、
前記メッセージに応答した、前記複数のワイヤレスネットワークノードからのチャネル状態トレーニング信号を受信する論理とを具備する装置。
【請求項２７】
前記スケジュールは、前記ノードがアップリンクデータに対して使用できるストリームの数の割り振りを含む請求項２６記載の装置。
【請求項２８】
前記スケジュールは、空間分割多元接続（ＳＤＭＡ）スキームによる複数のノードとの同時通信を示す請求項２６記載の装置。
【請求項２９】
前記スケジュールは、少なくとも１つのノードがビーム形成によって送信することを示す請求項２６記載の装置。
【請求項３０】
前記スケジュールは、少なくとも１つのノードが全方向性の送信によって送信することを示す請求項２６記載の装置。
【請求項３１】
ワイヤレス通信中でパケット送信を交換するための装置において、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信する論理と、
前記メッセージに応答して、チャネル状態トレーニング信号を送る論理と、
前記スケジュールにしたがって、前記ネットワークとパケットを交換する論理とを具備する装置。
【請求項３２】
前記スケジュールは、前記ノードがアップリンクデータに対して使用できるストリームの数の割り振りを含む請求項３１記載の装置。
【請求項３３】
前記スケジュールは、複数のノードが空間分割多元接続（ＳＤＭＡ）スキームにより同時に通信することを示す請求項３１記載の装置。
【請求項３４】
前記スケジュールは、少なくとも１つのノードがビーム形成により送信することを示す請求項３３記載の装置。
【請求項３５】
ワイヤレス通信中でパケット送信をスケジューリングするための装置において、
複数のワイヤレスネットワークノードからチャネル状態トレーニング信号を受信する手段と、
前記チャネル状態トレーニング信号に基づいて、前記ノードに対するアップリンクパケット送信およびダウンリンクパケット送信のためのスケジュールを構築する手段とを具備する装置。
【請求項３６】
ワイヤレス通信中でパケット送信をスケジューリングするための装置において、
複数のワイヤレスネットワークノードにメッセージを送り、前記メッセージは、前記ノードへのワイヤレス送信と前記ノードからのワイヤレス送信とのためのスケジュールを含む手段と、
前記メッセージに応答した、前記複数のワイヤレスネットワークノードからのチャネル状態トレーニング信号を受信する手段とを具備する装置。
【請求項３７】
ワイヤレス通信中でパケット送信を交換するための装置において、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信する手段と、
前記メッセージに応答して、チャネル状態トレーニング信号を送る手段と、
前記スケジュールにしたがって、前記ネットワークとパケットを交換する手段とを具備する装置。
【請求項３８】
ワイヤレス通信中でパケット送信をスケジューリングするためのコンピュータ読取可能記憶媒体において、
前記コンピュータ読取可能記憶媒体は、その上に命令を記憶させ、
前記命令は、１つ以上のプロセッサにより実行可能であり、
前記命令は、
複数のワイヤレスネットワークノードからチャネル状態トレーニング信号を受信するための命令と、
前記チャネル状態トレーニング信号に基づいて、前記ノードに対するアップリンクパケット送信およびダウンリンクパケット送信のためのスケジュールを構築するための命令とを含むコンピュータ読取可能記憶媒体。
【請求項３９】
ワイヤレス通信中でパケット送信をスケジューリングするためのコンピュータ読取可能記憶媒体において、
前記コンピュータ読取可能記憶媒体は、その上に命令を記憶させ、
前記命令は、１つ以上のプロセッサにより実行可能であり、
前記命令は、
メッセージが、複数のワイヤレスネットワークノードへのワイヤレス送信と複数のワイヤレスネットワークノードからのワイヤレス送信とのためのスケジュールを含み、前記ノードに前記メッセージを送るための命令と、
前記メッセージに応答した、前記複数のワイヤレスネットワークノードからのチャネル状態トレーニング信号を受信するための命令とを含むコンピュータ読取可能記憶媒体。
【請求項４０】
ワイヤレス通信中でパケット送信を交換するためのコンピュータ読取可能記憶媒体において、
前記コンピュータ読取可能記憶媒体は、その上に命令を記憶させ、
前記命令は、１つ以上のプロセッサにより実行可能であり、
前記命令は、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信するための命令と、
前記メッセージに応答して、チャネル状態トレーニング信号を送るための命令と、
前記スケジュールにしたがって、前記ネットワークとパケットを交換するための命令とを含むコンピュータ読取可能記憶媒体。
【手続補正２】
【補正対象書類名】明細書
【補正対象項目名】００８０
【補正方法】変更
【補正の内容】
【００８０】
特許請求の範囲は、上記で示したまさにその構成およびコンポーネントに限定されるものではないことが理解される。さまざまな修正、変更、およびバリエーションが、上記で説明した方法と装置との構成、動作、および詳細において、特許請求の範囲から逸脱することなく行われてもよい。
以下に、本願出願時の特許請求の範囲に記載された発明を付記する。
［１］ワイヤレス通信中でパケット送信をスケジューリングするための方法において、
複数のワイヤレスネットワークノードからチャネル状態トレーニング信号を受信することと、
前記チャネル状態トレーニング信号に基づいて、前記ノードに対するアップリンクパケット送信およびダウンリンクパケット送信のためのスケジュールを構築することと、
前記ノードに前記スケジュールを通信することとを含む方法。
［２］要求メッセージを送ることと、
前記要求メッセージに応答した、前記チャネル状態トレーニング信号を受信することとをさらに含む［１］に記載の方法。
［３］前記チャネル状態トレーニング信号は複数のノードから同時に受信される［１］に記載の方法。
［４］前記スケジュールは、複数の局が空間分割多元接続（ＳＤＭＡ）スキームによりアクセスポイントと同時に通信することを示す［１］に記載の方法。
［５］前記スケジュールは、ビーム形成送信技術による少なくとも１つのノードへの送信を示す［４］に記載の方法。
［６］前記スケジュールは、巡回遅延ダイバーシティ、複数入力複数出力（ＭＩＭＯ）、または時空間ブロックコード（ＳＴＢＣ）のうちの少なくとも１つを含む送信スキームによる少なくとも１つのノードへの送信を示す［４］に記載の方法。
［７］前記スケジュールは、ノードをグループに分割し、
前記スケジュールは、グループの複数のノードが空間分割多元接続（ＳＤＭＡ）スキームにより同時に通信することを示す［４］に記載の方法。
［８］前記アップリンク送信のためのスケジュールは、１つ以上のダウンリンクデータパケット中で示される［４］に記載の方法。
［９］ワイヤレス通信中でパケット送信をスケジューリングするための方法において、
複数のワイヤレスネットワークノードにメッセージを送り、前記メッセージは、前記ノードへのワイヤレス送信と前記ノードからのワイヤレス送信とのためのスケジュールを含むことと、
前記メッセージに応答した、前記複数のワイヤレスネットワークノードからのチャネル状態トレーニング信号を受信することとを含む方法。
［１０］前記スケジュールは、前記ノードがアップリンクデータに対して使用できるストリームの数の割り振りを含む［９］に記載の方法。
［１１］前記スケジュールは、空間分割多元接続（ＳＤＭＡ）スキームによる複数のノードとの同時通信を示す［９］に記載の方法。
［１２］前記スケジュールは、少なくとも１つのノードがビーム形成によって送信することを示す［９］に記載の方法。
［１３］前記スケジュールは、少なくとも１つのノードが全方向性の送信によって送信することを示す［９］に記載の方法。
［１４］ワイヤレス通信中でパケット送信を交換するための方法において、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信することと、
前記メッセージに応答して、チャネル状態トレーニング信号を送ることと、
前記スケジュールにしたがって、前記ネットワークとパケットを交換することとを含む方法。
［１５］前記スケジュールは、前記ノードがアップリンクデータに対して使用できるストリームの数の割り振りを含む［１４］に記載の方法。
［１６］前記スケジュールは、複数のノードが空間分割多元接続（ＳＤＭＡ）スキームにより同時に通信することを示す［１４］に記載の方法。
［１７］前記スケジュールは、少なくとも１つのノードがビーム形成により送信することを示す［１６］に記載の方法。
［１８］ワイヤレス通信中でパケット送信をスケジューリングするための装置において、
複数のワイヤレスネットワークノードからチャネル状態トレーニング信号を受信する論理と、
前記チャネル状態トレーニング信号に基づいて、前記ノードに対するアップリンクパケット送信およびダウンリンクパケット送信のためのスケジュールを構築する論理と、
前記ノードに前記スケジュールを通信する論理とを具備する装置。
［１９］要求メッセージを送る論理をさらに具備し、
前記要求メッセージに応答して、前記チャネル状態トレーニング信号が送られる［１８］に記載の装置。
［２０］前記チャネル状態トレーニング信号は複数のノードから同時に受信される［１８］に記載の装置。
［２１］前記スケジュールは、複数の局が空間分割多元接続（ＳＤＭＡ）スキームによりアクセスポイントと同時に通信することを示す［１８］に記載の装置。
［２２］前記スケジュールは、ビーム形成送信技術による少なくとも１つのノードへの送信を示す［２１］に記載の装置。
［２３］前記スケジュールは、巡回遅延ダイバーシティ、複数入力複数出力（ＭＩＭＯ）、または時空間ブロックコード（ＳＴＢＣ）のうちの少なくとも１つを含む送信スキームによる少なくとも１つのノードへの送信を示す［２１］に記載の装置。
［２４］前記スケジュールは、ノードをグループに分割し、
前記スケジュールは、グループの複数のノードが空間分割多元接続（ＳＤＭＡ）スキームにより同時に通信することを示す［２１］に記載の装置。
［２５］前記アップリンク送信のためのスケジュールは、１つ以上のダウンリンクデータパケット中で示される［２１］に記載の装置。
［２６］ワイヤレス通信中でパケット送信をスケジューリングするための装置において、
複数のワイヤレスネットワークノードにメッセージを送り、前記メッセージは、前記ノードへのワイヤレス送信と前記ノードからのワイヤレス送信とのためのスケジュールを含む論理と、
前記メッセージに応答した、前記複数のワイヤレスネットワークノードからのチャネル状態トレーニング信号を受信する論理とを具備する装置。
［２７］前記スケジュールは、前記ノードがアップリンクデータに対して使用できるストリームの数の割り振りを含む［２６］に記載の装置。
［２８］前記スケジュールは、空間分割多元接続（ＳＤＭＡ）スキームによる複数のノードとの同時通信を示す［２６］に記載の装置。
［２９］前記スケジュールは、少なくとも１つのノードがビーム形成によって送信することを示す［２６］に記載の装置。
［３０］前記スケジュールは、少なくとも１つのノードが全方向性の送信によって送信することを示す［２６］に記載の装置。
［３１］ワイヤレス通信中でパケット送信を交換するための装置において、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信する論理と、
前記メッセージに応答して、チャネル状態トレーニング信号を送る論理と、
前記スケジュールにしたがって、前記ネットワークとパケットを交換する論理とを具備する装置。
［３２］前記スケジュールは、前記ノードがアップリンクデータに対して使用できるストリームの数の割り振りを含む［３１］に記載の装置。
［３３］前記スケジュールは、複数のノードが空間分割多元接続（ＳＤＭＡ）スキームにより同時に通信することを示す［３１］に記載の装置。
［３４］前記スケジュールは、少なくとも１つのノードがビーム形成により送信することを示す［３３］に記載の装置。
［３５］ワイヤレス通信中でパケット送信をスケジューリングするための装置において、
複数のワイヤレスネットワークノードからチャネル状態トレーニング信号を受信する手段と、
前記チャネル状態トレーニング信号に基づいて、前記ノードに対するアップリンクパケット送信およびダウンリンクパケット送信のためのスケジュールを構築する手段とを具備する装置。
［３６］ワイヤレス通信中でパケット送信をスケジューリングするための装置において、
複数のワイヤレスネットワークノードにメッセージを送り、前記メッセージは、前記ノードへのワイヤレス送信と前記ノードからのワイヤレス送信とのためのスケジュールを含む手段と、
前記メッセージに応答した、前記複数のワイヤレスネットワークノードからのチャネル状態トレーニング信号を受信する手段とを具備する装置。
［３７］ワイヤレス通信中でパケット送信を交換するための装置において、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信する手段と、
前記メッセージに応答して、チャネル状態トレーニング信号を送る手段と、
前記スケジュールにしたがって、前記ネットワークとパケットを交換する手段とを具備する装置。
［３８］その上に命令を記憶させているコンピュータ読取可能媒体を具備する、ワイヤレス通信中でパケット送信をスケジューリングするためのコンピュータプログラムプロダクトにおいて、
前記命令は、１つ以上のプロセッサにより実行可能であり、
前記命令は、
複数のワイヤレスネットワークノードからチャネル状態トレーニング信号を受信するための命令と、
前記チャネル状態トレーニング信号に基づいて、前記ノードに対するアップリンクパケット送信およびダウンリンクパケット送信のためのスケジュールを構築するための命令とを含むコンピュータプログラムプロダクト。
［３９］その上に命令を記憶させているコンピュータ読取可能媒体を具備する、ワイヤレス通信中でパケット送信をスケジューリングするためのコンピュータプログラムプロダクトにおいて、
前記命令は、１つ以上のプロセッサにより実行可能であり、
前記命令は、
メッセージが、前記ノードへのワイヤレス送信と前記ノードからのワイヤレス送信とのためのスケジュールを含み、複数のワイヤレスネットワークノードに前記メッセージを送るための命令と、
前記メッセージに応答した、前記複数のワイヤレスネットワークノードからのチャネル状態トレーニング信号を受信するための命令とを含むコンピュータプログラムプロダクト。
［４０］その上に命令を記憶させているコンピュータ読取可能媒体を具備する、ワイヤレス通信中でパケット送信を交換するためのコンピュータプログラムプロダクトにおいて、
前記命令は、１つ以上のプロセッサにより実行可能であり、
前記命令は、
チャネル状態信号の送信を要求するメッセージであって、ワイヤレス通信ネットワーク中の複数のノードへのワイヤレス送信とワイヤレス通信ネットワーク中の複数のノードからのワイヤレス送信とのためのスケジュールを含むメッセージを受信するための命令と、
前記メッセージに応答して、チャネル状態トレーニング信号を送るための命令と、
前記スケジュールにしたがって、前記ネットワークとパケットを交換するための命令とを含むコンピュータプログラムプロダクト。
【国際調査報告】
2012500605.tif 000017
2012500605.tif 000018
2012500605.tif 000019